(57)【要約】【課題】  床パネルの層構造を複雑にすることなく下面側を補強して制振効果を付与し、重量床衝撃音性能を改善することのできる床パネル構造を提供すること【解決手段】  コンクリートスラブの上面側に防振支持具１０が配置され、当該防振支持具を介して複数の床パネルＰが支持されている。床パネルＰは、下地材Ｐ１と表面材Ｐ２とを含む。下地材Ｐ１の下面側には、木質角材等からなる補強材１１が固定されている。この補強材１１は二本用いることができ、それぞれ下地材Ｐ１の辺長さに対して所定の長さとされ、相互に交わるように配置される。補強材の固定により床パネルのインピーダンスが高められ、上方から加振力が加えられたときの振動速度を低下させることで重量床衝撃音性能が改善される。【選択図】      図１
2005226329.tif 000002
【特許請求の範囲】
【請求項１】
スラブ上に防振支持具を介して支持される二重床の床パネル構造において、前記床パネルの下面側に少なくとも一つの棒状の補強材を設けたことを特徴とする床パネル構造。
【請求項２】
前記補強材は複数設けられ、これら補強材は、略同一平面内で相互に交わることを特徴とする請求項１記載の床パネル構造。
【請求項３】
前記床パネルは、略方形をなす下地材と表面材とからなり、前記補強材は、下地材の一辺長さの約２／３以上の長さに設けられていることを特徴とする請求項１又は２記載の床パネル構造。
【請求項４】
前記補強材は、木質角材、樹脂製角材、金属又は樹脂からなる断面略Ｌ型材若しくは略Ｃ型材から選ばれる何れか又は任意の組み合わせであることを特徴とする請求項１，２又は３記載の床パネル構造。
【請求項５】
前記補強材の高さは前記下地材の厚みよりも大きいことを特徴とする請求項１ないし４の何れかに記載の床パネル構造。
【発明の詳細な説明】
【技術分野】
【０００１】
本発明は床パネル構造に係り、更に詳しくは、コンクリートスラブ等の上面側に防振支持具を介して床パネルを敷設した乾式遮音二重床の床パネル構造に関する。
【背景技術】
【０００２】
従来より、コンクリート製のスラブ等からなる躯体の上面側に一定の空間を形成するように床パネルを配置した二重床が知られている。この二重床は、スラブ上に防振支持具を所定間隔毎に配置し、これら防振支持具に床パネルを支持させることで前記空間が形成されるとともに、防振支持具により振動伝達が一定程度において吸収されるようになっている。
【０００３】
前記二重床においては、床パネルに歩行等の衝撃が加わると当該床パネルが変形し、発生した振動エネルギーがスラブに伝播し、階下に音として放射される。この重量床衝撃音を低減するための床パネルとしては、（１）パーチクルボード等からなる略方形の下地材の上面に捨張合板を介してフローリング等の表面材を接着したタイプや、（２）下地材と捨張合板との間にシート状の制振材を介在させたタイプのものが知られている。
【発明の開示】
【発明が解決しようとする課題】
【０００４】
しかしながら、前述した（１）のタイプの床パネルを用いた二重床構造では、共振現象により重量床衝撃音の性能が良好でなく、階下への騒音伝達抑制が十分に行えない、という不都合がある。この点、（２）のタイプの床パネルは、（１）の床パネルに比べて制振効果を得ることができるため、重量床衝撃音の性能改善を図ることができるが、積層構造が複雑になるばかりでなく、制振材自体が１平方メートル当たり数十Ｋｇの重さを有しているのが通常であるため、床パネル全体が非常に高重量となり、しかも、加工時間や製造コストが上昇する、という不都合がある。
【０００５】
［発明の目的］
本発明は、このような不都合に着目して案出されたものであり、その目的は、床パネルの層構造を複雑にすることなく、インピーダンスを高めて制振効果を付与することにより重量床衝撃音性能を改善することのできる床パネル構造を提供することにある。
【課題を解決するための手段】
【０００６】
前記目的を達成するため、本発明は、スラブ上に防振支持具を介して支持される二重床の床パネル構造において、前記床パネルの下面側に少なくとも一つの棒状の補強材を設ける、という構成を採っている。ここで、棒状とは、文字通り厳密な意味ではなく、特定の方向に、例えば、直線的若しくは曲線的に延びる形状を備えたものであり、従って、外観形状が平面的に延びる板状のものを含む概念として用いられる。
【０００７】
本発明において、前記補強材は複数設けられ、これら補強材は、略同一平面内で相互に交わるように設けることが好ましい。
【０００８】
また、前記床パネルは、略方形をなす下地材と表面材とからなり、前記補強材は、下地材の各辺長さが略等しいときの一辺長さの約２／３以上の長さに設けることが好ましい。下地材が短辺と長辺を有する方形である場合には、補強材の長さは、短辺長さの２／３以上であればよい。
【０００９】
更に、前記補強材は、木質角材、樹脂製角材、金属又は樹脂からなる断面略Ｌ型材若しくは略Ｃ型材から選ばれる何れか又は任意の組み合わせにより構成することができる。
【００１０】
また、前記補強材の高さは前記下地材の厚みよりも大きいものが採用される。
【発明の効果】
【００１１】
本発明によれば、床パネルの下面側に補強材を設けたことにより、床パネル自体の構造を複雑にすることなく、インピーダンスを高めることができる。従って、加振力Ｆ＝インピーダンスＺ・振動速度Ｖであるから、加振力一定の場合、補強材の取り付けにより、発生する振動速度を低減させることができることとなり、床パネルに歩行等の衝撃が加えられても、これにより発生した振動エネルギーがスラブ等の躯体に伝播し難くなり、これにより、重量床衝撃音性能を改善することができる。なお、補強材は、床パネルの下面に、いわゆる外付け構造となるため、製造も極めて容易となる。
また、複数の補強材をクロスさせる配置や、下地材の一辺長さの約２／３以上の長さに設ける構成、或いは、下地材の厚み以上の高さに設ける構成等により、平面形状を備えた床パネルにおける補強を効果的に行うことができる。更に、前記補強材が角材、型材等から選ばれる構成により、一定の補強効果を維持しつつ、設計上の自由度を拡大することが可能となる。
【発明を実施するための最良の形態】
【００１２】
以下、本発明の好ましい実施の形態について図面を参照しながら説明する。
図１には、本実施形態に係る二重床の側面図が示され、図２には、その平面図が示されている。また、図３には、床パネルを裏面側から見た概略斜視図が示されている。これらの図において、コンクリート製のスラブＳの上面側で空間Ｃを形成する所定の高さ位置に床パネルＰを配置して二重床が形成されている。床パネルＰは、前記スラブＳ上に設置された複数の防振支持具１０を介してコーナー下面側で支持されている。
【００１３】
前記床パネルＰは、特に限定されるものではないが、本実施例では、平面形状が略正方形の板状をなすパーティクルボード等からなる下地材Ｐ１と、その上面に下地板Ｐ１の厚みより薄いフローリング等からなる表面材Ｐ２との複層構造体によって構成され、前記下地材Ｐ１の下面側には補強材１１が固定されている。床パネルＰの壁面Ｗ側端は、壁面Ｗ及び巾木Ｈに対して隙間が確保される状態で配置され、これにより、壁面Ｗへの固体伝播が生じないように保たれている。
【００１４】
前記補強材１１は、木質角材、樹脂製角材、金属又は樹脂からなる断面略Ｌ型材若しくは略Ｃ型材や、これらの任意の組み合わせにより構成される。本実施形態では、二本の木質角材が用いられている。この補強材１１は、下地材Ｐ１の一辺長さの約２／３以上の長さを備えているとともに、下地材Ｐ１の厚みよりも大きい高さのものが採用されている。木質角材の下地材Ｐ１への固定は、接着剤を用いた接着の他、釘、ねじ等の締結具を用いることでもよい。本実施形態における各補強材１１は、図３に示されるように、下地材Ｐ１の対角方向において略同一平面内でクロスした状態に配置されている。そのため、二本の補強材１１のクロスする領域は、相互干渉を回避する図示しない溝が形成されて略十字相欠き継ぎ構造とされている。なお、このような溝同士の嵌め合いを利用した継ぎ構造を採用しない場合には、一方の補強材１１を長さ方向に二分割して一定の隙間を設けて配置し、この隙間内に他方の一本の補強材１１の中央部が通過するようにすることで対応することができる。この場合において、分割された補強材１１のそれぞれの長さは、厳密な意味で、下地材Ｐ１の一辺長さの２／３以上にはならないことになるが、この場合には、前記隙間内に位置する他方の補強材１１の中間部を含めた合計直線長さを２／３以上の長さと見なすこととなる。
【００１５】
前記防振支持具１０は、図４及び図５に示されるように、床パネルＰの下面側に位置する平面視略方形の受け板２０と、この受け板２０の中央部下面側に位置する支持脚１２と、この支持脚１２を支える防振弾性体１３と、当該防振弾性体１３の外周側に装着された錘部材１４とを構えて構成されている。
【００１６】
支持脚１２は、上下方向に軸線が向けられたナット部材１２Ａと、このナット部材１２Ａの上端側からねじ込まれて上下方向に進退可能なボルト１２Ｂとからなり、このボルト１２Ｂの上端は、図示しないナットを介して前記受け板２０に固定されている。
【００１７】
前記防振弾性体１３はゴム製であり、当該防振弾性体１３は、略円盤状をなす内周弾性部２１と、この内周弾性部２１と一体に成形されるとともに、当該内周弾性部２１と略同心円上に設けられた略円筒状の外周弾性部２２とにより構成されている。内周弾性部２１は、前記支持脚１２のナット部材１２Ａを上部中央で支持する一方、下面がコンクリートスラブＳとの間に空間Ｃ１を形成する高さに設けられ、上方からの衝撃に対して剪断力を受ける領域が形成されるようになっている。この内周弾性部２１は、ナット部材１２Ａ回りにおいて、上方に向かうに従って次第に縮径する傾斜面となる二段階のテーパ面部を備え、下面外周側にも同様に縮径する傾斜面となるテーパ面部を備えた形状に設けられ、これにより、ナット部材１２Ａの支持安定性が確保されると同時に、上方から加えられる衝撃によって剪断方向に変形する時の一定の抵抗が付与されるようになっている。
【００１８】
前記外周弾性部２２は、その硬度が内周弾性部２１の硬度よりも相対的に大きな材質により構成されている。この外周弾性部２２は、その下面側が内周弾性部２１の下面よりも低位置に設けられてスラブＳへの設置部とされている。この外周弾性部２２の外周面には、上下方向中間部に段部２５が形成されており、この段部２５により、外周弾性部２２の上部外径が下部外径よりも小径とされている。外周弾性部２２の設置部側には、前記空間Ｃ１を内外に連通させる通略２９が形成され、この通路２９により、内周弾性部２１が剪断方向に変形したときの空間Ｃ１内の空気逃げが行われる一方、元の位置に戻るときに外気を導入して空間Ｃ１内の負圧化を防止できるようになっている。
【００１９】
前記外周弾性部２２の外周に設けられた錘部材１４は、金属もしくは樹脂により構成されている。この錘部材１４は略円筒状をなし、その下端が前記段部２５に着座する状態に保たれ、これにより、防振支持具１０の全体に対して上方から衝撃が加えられた時でも防振弾性体１３と錘部材１４との一体性が確実に保たれる。
【００２０】
次に、本発明に係る効果を確認するため、以下の実施例を比較例と共に示す。
【００２１】
［実施例］
床パネルＰ：縦９００ｍｍ、横９００ｍｍ
（１）下地材Ｐ１：パーティクルボード、厚み２０ｍｍ
（２）表面材Ｐ２：フローリング材、厚み１２ｍｍ
補強材：木質角材二本、対角クロス配置、略十字相欠き継ぎ構造
高さ：４５ｍｍ
幅：３５ｍｍ
長さ：１０００ｍｍ
防振支持具：床パネルコーナー各１個配置
【００２２】
［比較例］
床パネルは、実施例と同一の下地材Ｐ１に表面材Ｐ２を積層したものであり、補強材を有しないものとした。また、防振支持具による支持形態は、実施例と同一とした。
【００２３】
図６は、実施例と比較例の結果を示したものである。これらの図表から明らかなように、重量床衝撃音性能の決定周波数となる６３Ｈｚでの床衝撃音レベルが、本発明では７６．６ｄＢであったに対し、比較例は７８．１ｄＢであった。これにより、本発明の構造が比較例に対して優れた結果となり、重量床衝撃音性能が向上していることが理解される。
【００２４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施形態では、二本の補強材１１を用いてクロス配置する場合について図示、説明したが、補強材１１は少なくとも一本あれば足りる。この場合の補強材の配置は、下地材Ｐ１の一つの対角方向に沿って配置したり、下地材の中央部において当該下地材の一辺と略平行となる姿勢で配置することが例示できる。また、補強材１１は、三本以上であってもよい。要するに、本発明は、床パネルの下面側において、補強を施すことにより振動し難くする構成が採用されていればよい。
【図面の簡単な説明】
【００２６】
【図１】本実施形態に係る二重床の概略側断面図。
【図２】図１の概略平面図。
【図３】床パネルを反転させた状態を示す概略斜視図。
【図４】図１の一部を拡大して示す概略斜視図。
【図５】図４の一部縦断面図。
【図６】前記実施例による重量床衝撃音実験結果を示す線図。
【符号の説明】
【００２７】
１０…防振支持具、１１…補強材、Ｃ…空間、Ｐ…床パネル、Ｐ１…下地材、Ｐ２…表面材、Ｓ…スラブ
【図１】
2005226329.tif 000003
【図２】
2005226329.tif 000004
【図３】
2005226329.tif 000005
【図４】
2005226329.tif 000006
【図５】
2005226329.tif 000007
【図６】
2005226329.tif 000008